【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
通気性インターフェースシステムにおいて：
貫通する開口を有するアプリケータと；    
前記アプリケータを実質的に覆うドレープと；
前記ドレープと前記アプリケータとの間に位置する第１のパッド部分と；
前記開口を実質的に覆い、前記ドレープと前記アプリケータとの間に位置する第２のパッド部分であって、前記第１のパッド部分に実質的に隣接している第２のパッド部分と；
前記第２のパッド部分と前記ドレープとの間に少なくとも部分的に位置する織物層であって、繊維材料でできた織布又は不織布を具える織物層と；
前記第１のパッド部分と前記織物層のうちの一方に連通して、前記開口に減圧を提供する減圧導管と；を具え、
前記ドレープが前記アプリケータに固定されており、前記第１のパッド部分と、前記第２のパッド部分と、前記織物層を実質的に密封した環境で覆っていることを特徴とする通気性インターフェースシステム。
【請求項２】
請求項１に記載の通気性インターフェースシステムにおいて、前記織物層が前記第１のパッド部分と前記アプリケータとの間に少なくとも部分的に位置していることを特徴とする通気性インターフェースシステム。
【請求項３】
請求項１に記載の通気性インターフェースシステムが更に、前記減圧導管と、前記第１のパッド部分と前記織物層のうちの少なくとも一つとの間に位置するインターフェースを具えることを特徴とする通気性インターフェースシステム。
【請求項４】
請求項１に記載の通気性インターフェースシステムにおいて、前記第１のパッド部分と前記第２のパッド部分が、開セル網状フォーム、焼結ポリマ、エチレン酢酸ビニル、フルオロポリマ、ポリウレタン、ポリオレフィン、酢酸ビニル、ポリビニルアルコール、及びこれらのコポリマからなる群から選択されることを特徴とする通気性インターフェースシステム。
【請求項５】
請求項１に記載の通気性インターフェースシステムにおいて、前記織物層が、ポリアミド、ナイロン、ポリウレタンで被覆したポリアミド、ポリマ状メッシュ、不織布メルトブローンポリマ、及びフレキシブル焼結ポリマからなる群から選択されることを特徴とする通気性インターフェースシステム。
【請求項６】
請求項１に記載の通気性インターフェースシステムにおいて、前記第１のパッド部分、前記第２のパッド部分、及び織物層が、約５ｍｍ乃至約２０ｍｍの厚さを有することを特徴とする通気性インターフェースシステム。
【請求項７】
請求項１に記載の通気性インターフェースシステムにおいて、前記織物層が、互いに連結して重なったいくつかの層を具えることを特徴とする通気性インターフェースシステム。
【請求項８】
通気性インターフェースシステムにおいて、
貫通する開口を有するアプリケータと；    
前記アプリケータを実質的に覆うドレープと；
前記ドレープと前記アプリケータとの間に位置する第１のパッド部分と；
前記開口を実質的に覆い、前記ドレープと前記アプリケータとの間に位置する第２のパッド部分であって、前記第１のパッド部分に実質的に隣接している第２のパッド部分と；
前記第１のパッド部分と前記アプリケータとの間に少なくとも部分的に位置する織物層であって、更に、前記第２のパッド部分と前記アプリケータとの間に少なくとも部分的に位置する織物層と；
前記第１のパッド部分と前記織物層のうちの一方に連通して、前記開口に減圧を提供する減圧導管と；を具え、
前記ドレープが前記アプリケータに固定されており、前記第１のパッド部分と、前記第２のパッド部分と、前記織物層を実質的に密封した環境で覆っていることを特徴とする通気性インターフェースシステム。
【請求項９】
請求項８に記載の通気性インターフェースシステムが更に、前記減圧導管と、前記第１のパッド部分と、前記織物層のうちの少なくとも一つとの間に位置するインターフェースを具えることを特徴とする通気性インターフェースシステム。
【請求項１０】
請求項８に記載の通気性インターフェースシステムにおいて、前記第１のパッド部分と前記第２のパッド部分が、開セル網状フォーム、焼結ポリマ、エチレン酢酸ビニル、フルオロポリマ、ポリウレタン、ポリオレフィン、酢酸ビニル、ポリビニルアルコール、及びこれらのコポリマからなる群から選択されることを特徴とする通気性インターフェースシステム。
【請求項１１】
請求項８に記載の通気性インターフェースシステムにおいて、前記織物層が、織布、不織布、ポリアミド、ナイロン、ポリウレタンで被覆したポリアミド、ポリマ状メッシュ、不織布メルトブローンポリマ、及びフレキシブル焼結ポリマからなる群から選択されることを特徴とする通気性インターフェースシステム。
【請求項１２】
請求項８に記載の通気性インターフェースシステムにおいて、前記第１のパッド部分、前記第２のパッド部分、及び織物層が、約５ｍｍ乃至約２０ｍｍの厚さを有することを特徴とする通気性インターフェースシステム。
【請求項１３】
請求項８に記載の通気性インターフェースシステムにおいて、前記織物層が、互いに連結して重なったいくつかの層を具えることを特徴とする通気性インターフェースシステム。
【請求項１４】
通気性インターフェースシステムにおいて、
貫通する開口を有するアプリケータと；    
前記アプリケータを実質的に覆うドレープと；
前記ドレープと前記アプリケータとの間に位置する第１のパッド部分と；
前記開口を実質的に覆い、前記ドレープと前記アプリケータとの間に位置する第２のパッド部分であって、前記第１のパッド部分に実質的に隣接している第２のパッド部分と；
前記第１のパッド部分と前記ドレープとの間に少なくとも部分的に位置する織物層であって、更に、前記第２のパッド部分と前記ドレープとの間に少なくとも部分的に位置する織物層と；
前記第１のパッド部分と前記織物層のうちの一方に連通して、前記開口に減圧を提供する減圧導管と；を具え、
前記ドレープが前記アプリケータに固定されており、前記第１のパッド部分と、前記第２のパッド部分と、前記織物層を実質的に密封した環境で覆っていることを特徴とする通気性インターフェースシステム。
【請求項１５】
請求項１４に記載の通気性インターフェースシステムが更に、前記減圧導管と、前記第１のパッド部分と前記織物層のうちの少なくとも一つとの間に位置するインターフェースを具えることを特徴とする通気性インターフェースシステム。
【請求項１６】
請求項１４に記載の通気性インターフェースシステムにおいて、前記第１のパッド部分と前記第２のパッド部分が、開セル網状フォーム、焼結ポリマ、エチレン酢酸ビニル、フルオロポリマ、ポリウレタン、ポリオレフィン、酢酸ビニル、ポリビニルアルコール、及びこれらのコポリマからなる群から選択されることを特徴とする通気性インターフェースシステム。
【請求項１７】
請求項１４に記載の通気性インターフェースシステムにおいて、前記織物層が、織布、不織布、ポリアミド、ナイロン、ポリウレタンで被覆したポリアミド、ポリマ状メッシュ、不織布メルトブローンポリマ、及びフレキシブル焼結ポリマからなる群から選択されることを特徴とする通気性インターフェースシステム。
【請求項１８】
請求項１４に記載の通気性インターフェースシステムにおいて、前記第１のパッド部分、前記第２のパッド部分、及び織物層が、約５ｍｍ乃至約２０ｍｍの厚さを有することを特徴とする通気性インターフェースシステム。
【請求項１９】
請求項１４に記載の通気性インターフェースシステムにおいて、前記織物層が、互いに連結して重なったいくつかの層を具えることを特徴とする通気性インターフェースシステム。
【請求項２０】
組織部位に減圧組織治療を適用する減圧組織治療装置において、
貫通する開口を有するアプリケータと；    
前記アプリケータを実質的に覆うドレープと；
前記ドレープと前記アプリケータとの間に位置する第１のパッド部分と；
前記開口を実質的に覆い、前記ドレープと前記アプリケータとの間に位置する第２のパッド部分であって、前記第１のパッド部分に実質的に隣接している第２のパッド部分と；
前記第２のパッド部分と前記ドレープの間に少なくとも部分的に位置し、繊維材料でできた織布又は不織布を具える織物層であって、前記ドレープが前記アプリケータに固定されており、前記第１のパッド部分と、前記第２のパッド部分と、前記織物層を実質的に密封した環境で覆っている織物層と；
前記第１のパッド部分と前記織物層のうちの一方に連通して、前記開口に減圧を提供する減圧導管と；
前記減圧導管に連通して前記組織部位に減圧を送達する減圧源と；
を具えることを特徴とする減圧組織治療装置。
【請求項２１】
請求項２０に記載の減圧組織治療装置において、前記織物層が前記第１のパッド部分と前記アプリケータの間に少なくとも部分的に位置することを特徴とする減圧組織治療装置。
【請求項２２】
請求項２０に記載の減圧組織治療装置において、前記第１のパッド部分と前記第２のパッド部分が、開セル網状フォーム、焼結ポリマ、エチレン酢酸ビニル、フルオロポリマ、ポリウレタン、ポリオレフィン、酢酸ビニル、ポリビニルアルコール、及びこれらのコポリマからなる群から選択されることを特徴とする減圧組織治療装置。
【請求項２３】
請求項２０に記載の通気性インターフェースシステムにおいて、前記織物層が、ポリアミド、ナイロン、ポリウレタンで被覆したポリアミド、ポリマ状メッシュ、不織布メルトブローンポリマ、及びフレキシブル焼結ポリマからなる群から選択されることを特徴とする減圧組織治療装置。
【請求項２４】
請求項２０に記載の減圧組織治療装置において、前記第１のパッド部分、前記第２のパッド部分、及び織物層が、約５ｍｍ乃至約２０ｍｍの厚さを有することを特徴とする減圧組織治療装置。
【請求項２５】
請求項２０に記載の減圧組織治療装置において、前記織物層が、互いに連結して重なったいくつかの層を具えることを特徴とする減圧組織治療装置。